(57)【要約】      （修正有）【課題】電源ケーブルの施設作業が不要となる回転式揚重フック装置、及び、回転式フック装置を備えた揚重機を提供する。【解決手段】フック２０を回転可能に支持するフックブロック２と、フックを回転させるモータ３と、を具備してなる回転式揚重フック装置１に、モータを駆動させるためのバッテリー４を備え、モータとして直流電動機を用いる。【選択図】図２
0003215180.tif 000002
【実用新案登録請求の範囲】
【請求項１】
フックを回転可能に支持するフックブロックと、前記フックを回転させるモータと、を具備してなる回転式揚重フック装置であって、
更に、前記モータを駆動させるためのバッテリーが備えられてなり、
前記モータが、前記バッテリーから供給される直流電流によって駆動する直流電動機となされたことを特徴とする回転式揚重フック装置。
【請求項２】
請求項１に記載の回転式揚重フック装置において、
前記バッテリーが、前記フックブロックから取り外し可能となされた回転式揚重フック装置。
【請求項３】
請求項１又は２に記載の回転式揚重フック装置を備えたことを特徴とする揚重機。
【考案の詳細な説明】
【技術分野】
【０００１】
本考案は、揚重機に備えられる回転式揚重フック装置、及び、前記回転式揚重フック装置を備えた揚重機に関する。
【背景技術】
【０００２】
クレーン等の揚重機によって被揚重物を搬送するにあたっては、搬送中や荷下ろしの際に、前記被揚重物の方向を調整する必要が生じる場合がある。
【０００３】
従来、この前記被揚重物の方向調整作業は、前記被揚重物を吊り下げるフックをモータ駆動の回転式とし、遠隔操作にて前記フックを回転させることによって行われてきた（例えば、下記特許文献１参照。）。
【先行技術文献】
【特許文献】
【０００４】
【特許文献１】実開平３‐３８８８３号公報
【考案の概要】
【考案が解決しようとする課題】
【０００５】
前記特許文献１に開示された回転式揚重フック装置は、フック（揚重フック）を回転自在に垂設するフックブロックに、モータ（回転駆動装置）を配し、前記モータの駆動力をチェンによって前記フックに伝達することによって、前記フックを回転させる仕組みとなされている。又、前記モータへの電力の供給は、電源ケーブルを介して行われている。
【０００６】
しかしながら、クレーンなどの揚重機において、電源ケーブルを介する電力の供給を実行するにあたっては、まず、前記クレーンのアームに沿って前記電源ケーブルを配し、更に、前記アームの先端から前記回転式揚重フック装置まで前記電源ケーブルを施設する作業が必要となる。
【０００７】
この電源ケーブルの施設作業は、揚重機が大型になればなるほど長期化し、工期遅延の原因の一つとなっていた。
【０００８】
本考案は、前記技術的課題に鑑みて完成されたものであり、電源ケーブルの施設作業が不要となる新規な回転式揚重フック装置、及び、前記回転式フック装置を備えた新規な揚重機を提供することを目的とする。
【課題を解決するための手段】
【０００９】
前記技術的課題を解決する本考案の回転式揚重フック装置は、フックを回転可能に支持するフックブロックと、前記フックを回転させるモータと、を具備してなる回転式揚重フック装置であって、更に、前記モータを駆動させるためのバッテリーが備えられてなり、前記モータが、前記バッテリーから供給される直流電流によって駆動する直流電動機となされたことを特徴とする（以下、「本考案フック装置」と称する。）。
【００１０】
前記本考案フック装置においては、前記バッテリーが、前記フックブロックから取り外し可能となされたものが好ましい態様となる。
【００１１】
前記技術的課題を解決する本考案の揚重機は、前記本考案フック装置を備えたことを特徴とする（以下、「本考案揚重機」と称する。）。
【考案の効果】
【００１２】
本考案によれば、電源ケーブルの施設作業が不要となり、工期の短縮が可能となる。
【図面の簡単な説明】
【００１３】
【図１】図１は、本考案フック装置を示す斜視図である。
【図２】図２は、前記本考案装置を断面状態で示す正面図である。
【図３】図３は、前記本考案装置を断面状態で示す側面図である。
【図４】図４は、前記本考案装置の駆動伝達手段を示す上面図である。
【図５】図５は、前記本考案装置の制御手段を示すブロック図である。
【図６】図６は、前記本考案装置のバッテリーハッチを開けてバッテリーを取り出している状態を断面状態で示す正面図である。
【図７】図７は、本考案揚重機を示す側面図である。
【考案を実施するための形態】
【００１４】
以下、本考案の実施形態を図面に基づいて説明するが、本考案はこの実施形態に限定されるものではない。
【００１５】
＜本考案フック装置１＞
図１〜図３に、本考案フック装置１の一実施形態を示す。前記本考案フック装置１は、「フックブロック２」と、「モータ３」と、「バッテリー４」と、を具備する。
【００１６】
‐フックブロック２‐
前記フックブロック２は、フック２０を回転可能に支持する。本実施形態に係る前記フックブロック２は、いわゆる「一軸二車Ｓフック」であり、Ｓフックとなされた前記フック２０と、一対のシーブホイール（２１Ｒ、２１Ｌ）と、を具備する。各シーブホイール（２１Ｒ、２１Ｌ）は、トラニオン軸となされた一対の支持軸（２２Ｌ、２２Ｒ）に対して回転可能に支持されており、揚重作業時、各シーブホイール（２１Ｒ、２１Ｌ）には、ワイヤーロープＷが掛けられる。一方、前記フック２０は、前記支持軸（２２Ｌ、２２Ｒ）が固定されたフレーム２３に対し、軸受け２４を介して回転可能に支持されている。なお、前記フック２０の回転軸２５には、フック側スプロケット２６が設けられている。又、前記フック２０には、外れ止め具２７が設けられている。
【００１７】
‐モータ３‐
前記モータ３は、前記フック２０を回転させるための機械要素である。本考案では、前記モータ３として、直流電流によって駆動する直流電動機が用いられる。本実施形態においては、前記モータ３としてギヤードモータを用いた。図４に示すように、前記モータ３の回転軸３１には、モータ側スプロケット３２が設けられており、前記モータ側スプロケット３２と前記フック側スプロケット２６との間に張設された無端状のチェン３３を介して、前記モータ３の回転が前記フック２０に伝達される駆動伝達手段が構築されている。又、図５に示すように、前記モータ３の駆動は、ドライバ５によって制御されており、前記ドライバ５に対する命令が、無線機６０による通信制御装置６の無線操作によって行い得る制御手段が構築されている。
【００１８】
‐バッテリー４‐
前記バッテリー４は、前記モータ３に直流電流を供給するための電源供給源である。本実施形態においては、前記バッテリー４としてリチウムイオンバッテリーを用いた。図６に示すように、前記バッテリー４は、前記フックブロック２に設けられたバッテリーハッチ２８を通じて、取り外し可能となされている。
【００１９】
＜本考案揚重機１０＞
図７に、本考案揚重機１０を示す。前記本考案揚重機１０は、前記本考案フック装置１を備える。前記本考案揚重機１０は、被揚重物Ｓを搬送するための重機である。前記本考案揚重機１０によって被揚重物Ｓを搬送するにあたっては、搬送中や荷下ろしの際に、前記被揚重物Ｓの方向を調整する必要が生じる場合がある。
【００２０】
本考案揚重機１０においては、この前記被揚重物Ｓの方向調整作業を、前記本考案フック装置１の前記フック２０を遠隔操作にて回転させることによって行う。
【００２１】
そして、前記本考案フック装置１では、前記フック２０を回転させる前記モータ３に供給する電力を、前記フックブロック２内に配されたバッテリー４から供給する仕組みとなされているから、電源ケーブルを私設する作業が不要となり、工期の短縮が実現される。
【００２２】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【符号の説明】
【００２３】
１  本考案フック装置（回転式揚重フック装置）
２  フックブロック
２０  フック
２８  バッテリーハッチ
３  モータ
４  バッテリー
５  ドライバ
６  通信制御装置
１０  本考案揚重機（揚重機）
【図１】
0003215180.tif 000003
【図２】
0003215180.tif 000004
【図３】
0003215180.tif 000005
【図４】
0003215180.tif 000006
【図５】
0003215180.tif 000007
【図６】
0003215180.tif 000008
【図７】
0003215180.tif 000009